(57)【要約】【課題】複数の情報処理装置からの映像データを映像表示装置へ転送する映像転送システムにおいて、映像表示装置へ転送する映像データの切り換えを制御するソフトウェアを情報処理装置内に用意することを不要にするとともに、映像データの切り換えを簡単な操作で可能にする。【解決手段】上側の図では、デバイスＩＤ＝２の無線送信機のみが映像データを送信し、無線受信機はその無線送信機に接続されている情報処理装置からの映像データをプロジェクタに転送する。下側の図は、上側の図の状態からデバイスＩＤ＝３の無線送信機が映像データの送信を開始した状態を示す。デバイスＩＤ＝２の無線送信機は転送ロック状態でないため、無線受信機はプロジェクタに転送する映像データの送信元をデバイスＩＤ＝２の無線送信機からデバイスＩＤ＝３の無線送信機に切り換える。【選択図】図４
2013197952.tif 000002
【特許請求の範囲】
【請求項１】
複数の情報処理装置からの映像データを映像表示装置へ転送する映像転送システムであって、
各情報処理装置に接続される複数の無線送信機と、
前記映像表示装置に接続される無線受信機と、を備え、
各無線送信機は、情報処理装置からの映像データを前記無線受信機へ送信する動作を開始させるための操作手段と、当該映像データの転送状態を設定する手段と、を備え、
前記無線受信機は、受信した映像データに設定されている転送状態を管理する転送状態管理手段と、前記転送状態管理手段で管理している転送状態に基づいて、前記受信した映像データの中から前記映像表示装置へ転送する映像データを選択する映像データ選択手段と、を備える
映像転送システム。
【請求項２】
請求項１に記載された映像転送システムにおいて、
前記無線受信機は、前記映像表示装置へ転送する映像データの数を設定する設定手段を備え、前記映像データ選択手段は、前記設定手段で設定された数の無線送信機からの映像データを選択した状態で、新たに他の無線送信機からの映像データを受信したとき、前記選択した無線送信機の内、最初に送信を開始した無線送信機からの映像データに代えて新たに送信を開始した無線送信機からの映像データを選択する映像転送システム。
【請求項３】
請求項１または２に記載された映像転送システムにおいて、
前記転送状態として転送ロック状態を有し、前記映像データ選択手段は、前記転送ロック状態に設定されている映像データを優先的に選択する映像転送システム。
【請求項４】
請求項１に記載された映像転送システムにおいて、
前記無線受信機は、複数の無線送信機からの映像が映像表示装置の画面上で分割して表示されるように合成する表示画面合成手段を備え、当該分割表示を行うモードに設定されているとき、前記映像データ選択手段により選択された複数の映像データを前記表示画面合成手段により合成する映像転送システム。
【発明の詳細な説明】
【技術分野】
【０００１】
本発明は、複数の情報処理装置からの映像データを映像表示装置へ転送可能な映像転送システムに関する。
【背景技術】
【０００２】
近年、映像表示装置であるプロジェクタの小型化、高機能化が進み、部屋内で邪魔にならないようにプロジェクタを壁際に置く、またはプロジェクタを簡単に持ち運ぶ環境が構築されている。このようなプロジェクタの利用方法の変化に伴い、情報処理装置であるＰＣ（Personal Computer：以下、パソコンという）で生成された映像データをプロジェクタに無線転送する技術が既に知られている。
【０００３】
即ち、例えば特許文献１には、プロジェクタ、およびパソコン機能と無線ＬＡＮ接続機能を有するコミュニケータからなるプレゼンテーション装置と、無線ＬＡＮ接続機能を有する複数のパソコンとを備え、パソコンからプロジェクタの遠隔操作を可能にする専用のソフトウェアをパソコンにインストールしておき、パソコンの操作画面上でドラッグ＆ドロップしたり、デスクトップやアクティブなウインドウをキャプチャしたりすることで、パソコン内の各種ファイルを無線ＬＡＮによりコミュニケータに転送し、プロジェクタで映像表示させることを可能にしたワイヤレス電子会議システムが開示されている。
【０００４】
しかしながら、特許文献１に記載されたワイヤレス電子会議システムでは、パソコンからプロジェクタの遠隔操作を可能にする専用のソフトウェアをパソコン内に用意することが必要である。また、プロジェクタで表示される映像の転送元のパソコンを操作することによりプロジェクタの遠隔操作を行うように構成されているため、プロジェクタで表示される映像の転送元のパソコンを切り換えるには、表示中の映像の転送元のパソコンでの表示終了操作、および次に表示する映像の転送元のパソコンでの表示開始操作の双方が必要になり、手間がかかるという問題がある。
【発明の概要】
【発明が解決しようとする課題】
【０００５】
本発明は、このような問題を解決するためになされたものであり、その目的は、複数の情報処理装置からの映像データを映像表示装置へ転送する映像転送システムにおいて、映像表示装置へ転送する映像データの切り換えを制御するソフトウェアを情報処理装置内に用意することを不要にするとともに、映像データの切り換えを簡単な操作で可能にすることである。
【課題を解決するための手段】
【０００６】
本発明は、複数の情報処理装置からの映像データを映像表示装置へ転送する映像転送システムであって、各情報処理装置に接続される複数の無線送信機と、前記映像表示装置に接続される無線受信機と、を備え、各無線送信機は、情報処理装置からの映像データを前記無線受信機へ送信する動作を開始させるための操作手段と、当該映像データの転送状態を設定する手段と、を備え、前記無線受信機は、受信した映像データに設定されている転送状態を管理する転送状態管理手段と、前記転送状態管理手段で管理している転送状態に基づいて、前記受信した映像データの中から前記映像表示装置へ転送する映像データを選択する映像データ選択手段と、を備える映像転送システムである。
【発明の効果】
【０００７】
本発明によれば、複数の情報処理装置からの映像データを映像表示装置へ転送する映像転送システムにおいて、映像表示装置へ転送する映像データの切り換えを制御するソフトウェアを情報処理装置内に用意することが不要になり、映像データの切り換え操作が簡単になる。
【図面の簡単な説明】
【０００８】
【図１】本発明の実施形態に係る映像転送システムの使用環境を示す図である。
【図２】本発明の実施形態における無線送信機の状態遷移図である。
【図３】本発明の実施形態における無線送信機および無線受信機の機能ブロック図である。
【図４】本発明の実施形態における無線受信機の転送状態管理部が管理している転送状態管理表の第１の例を示す図である。
【図５】本発明の実施形態における無線受信機の転送状態管理部が管理している転送状態管理表の第２の例を示す図である。
【図６】本発明の実施形態における無線受信機の映像転送切り換え処理の第１の例のフローチャートである。
【図７】本発明の実施形態における無線受信機の転送状態管理部が管理している転送状態管理表の第３の例を示す図である。
【図８】本発明の実施形態における無線受信機の転送状態管理部が管理している転送状態管理表の第４の例を示す図である。
【図９】本発明の実施形態における無線受信機の映像転送切り換え処理の第２の例のフローチャートである。
【発明を実施するための形態】
【０００９】
以下、本発明の実施形態について図面を参照して説明する。
〈映像転送システムの使用環境〉
図１は本発明の実施形態に係る映像転送システムの使用環境を示す図である。
【００１０】
この映像転送システムは３台の無線送信機４，５，６、および１台の無線受信機７とから構成されている。無線送信機４，５，６はそれぞれパソコン、タブレット端末、ＰＤＡ（Personal Digital Assistant）などの映像データ出力機能を有する情報処理装置１，２，３に接続されており、無線受信機７は映像表示装置であるプロジェクタ８に接続されている。
【００１１】
無線送信機４，５，６は情報処理装置１，２，３から出力された映像データを無線通信によって無線受信機７に送信することができる。無線通信プロトコルによっては、無線受信機は同時に複数の無線送信機と１対１（Peer to Peer）のデータ通信が可能である。即ち例えばWiMedia Allianceが策定したUWB（Ultra Wide Band）規格では、無線受信機は時分割で無線送信機とデータ通信を行い、最大２５５台の無線送信機と同時にデータ通信を行うことができる。ここでは、無線受信機７は３台の無線送信機４，５，６と同時にデータ通信を行い、３台の情報処理装置１，２，３からの映像データを同時に受信できるようにした。なお、ここでは無線送信機４，５，６を別体のものとしたが一体に構成することもできる。
【００１２】
〈無線送信機の状態遷移〉
図２は本発明の実施形態における無線送信機の状態遷移図である。
アイドル（IDLE）状態２０１は無線送信機が情報処理装置と接続されていない状態である。無線送信機が情報処理装置に接続されると周辺の無線受信機と認証処理を行い、認証処理が終了するとアイドル状態からリンク（Link）状態２０２へ移行する（遷移Ｓ１）。リンク状態２０２で無線送信機と情報処理装置との接続が解除されるとアイドル状態２０１へ移行する（遷移Ｓ２）。
【００１３】
無線送信機にはユーザが各種指示や設定を入力するための操作手段である外部入力ボタンが設けられており、無線送信機がリンク状態２０２のときに外部入力ボタンが押されると、無線送信機は転送状態２０３となり（遷移Ｓ３）、無線受信機へ映像データの送信を開始する。
【００１４】
転送状態２０３で再び外部入力ボタンが押されたとき、または送信する映像データがないときは映像データの送信を終了し、転送状態２０３からリンク状態２０２へ移行する（遷移Ｓ４）。
【００１５】
無線送信機がリンク状態２０２で外部入力ボタンが一定時間長押しされたとき、無線送信機は転送ロック（Lock）状態２０４に移行し（遷移Ｓ５）、無線送信機から無線受信機へ映像データの送信が開始される。転送状態２０３で外部入力ボタンが長押しされたときにも転送ロック状態２０４へ移行する（遷移Ｓ６）。転送ロック状態２０４で送信された映像データは無線受信機により優先的にプロジェクタへ転送される。
【００１６】
転送ロック状態２０４で外部入力ボタンが押されたとき、または送信するデータがないときは映像データの送信を終了し、転送ロック状態２０４からリンク状態２０２へ移行する（遷移Ｓ７）。
【００１７】
なお、以上の説明では、１つの外部入力ボタンを押している時間の違いにより転送状態２０３への移行、転送ロック状態２０４への移行を区別して兼用しているが、転送状態２０３への移行、転送ロック状態２０４への移行を専用の２つの外部入力ボタンにより行うように構成してもよい。
【００１８】
各状態は無線受信機によりリンク値、トランス（Trans）値、およびロック値からなる３つのパラメータにより管理されている。アイドル状態２０１では３つのパラメータの値は０である。リンク状態２０２ではリンク値が１、トランス値およびロック値は０である。転送状態２０３ではリンク値およびトランス値が１、ロック値は０である。転送ロック状態２０４では３つのパラメータの値は１である。無線受信機が３つのパラメータを取得する方法については後述する。
【００１９】
〈無線送信機および無線受信機の機能ブロック図〉
図３は本発明の実施形態における無線送信機および無線受信機の機能ブロック図である。ここで、図３Ａは無線送信機、図３Ｂは無線受信機である。図１における無線送信機４，５，６の構成は同じであるから、ここでは無線送信機４の機能ブロックとした。また、説明を簡明にするため、映像データの切り換えに必要な機能のみを記載し、ＰＨＹ（Physical Layer：物理層）処理部、ＲＦ（Radio Frequency：無線周波数）処理部など無線転送機能についての処理部は省略した。
【００２０】
図３Ａに示すように、無線送信機４は、外部入力端子Ｉ／Ｆ（インタフェース）部４１、データ転送判定部４２、およびアンテナ４３を備えている。外部入力端子Ｉ／Ｆ部４１は情報処理装置１とＶＧＡ（Video Graphics Array）端子などを経由して接続される。外部入力ボタンによるユーザ指示がデータ転送判定部４２に入力される。
【００２１】
情報処理装置１から出力された映像データは外部入力端子Ｉ／Ｆ部４１を経由して、データ転送判定部４２に入力される。外部入力ボタンが押下され、転送状態２０３となったとき、データ転送判定部４２から映像データが出力され、アンテナ４３を通して無線受信機７への送信が開始される。無線送信機４が転送ロック状態２０４のときは、映像データフレーム中の予約（Reserved）領域をロック状態領域として使用するためロック状態を示す１を入力し、無線受信機７へのデータ送信を開始する。
【００２２】
図３Ｂに示すように、無線受信機７は、外部入力端子Ｉ／Ｆ部７１、表示画面合成部７２、転送状態管理部７３、転送状態判定部７４、およびアンテナ７５を備えている。外部入力端子Ｉ／Ｆ部７１はプロジェクタ８とＶＧＡ端子などを経由して接続される。プロジェクタの代わりにモニタを接続することもできる。
【００２３】
無線送信機４から送信された映像データはアンテナ７５で受信され、転送状態判定部７４に入力される。転送状態判定部７４では、無線送信機４の転送状態を判定する。即ち入力された映像データのロック状態領域を確認し、無線送信機４の状態が転送状態、または転送ロック状態のどちらであるかを判定する。判定の結果である無線送信機４の状態は転送状態管理部７３が管理する。
【００２４】
転送状態判定部７４に入力された映像データは表示画面合成部７２を経て外部入力端子Ｉ／Ｆ部７１からプロジェクタ８に送られ、映像データを基に映像が表示される。このとき、複数の無線送信機から同時に送信された複数の情報処理装置からの映像データをプロジェクタ８の映像表示画面で分割して表示するモード（分割表示モード）では、表示画面合成部７２で複数の情報処理装置からの映像データを合成処理する。一方、常に１つの情報処理装置からの映像データのみ表示するモード（シングル表示モード）では、表示画面合成部７２は何もせず、転送状態判定部７４に入力された映像データをそのままプロジェクタ８に転送する。なお、シングル表示モードの設定、分割表示モードの設定（分割数の設定を含む）は無線受信機の外部入力ボタンを用いて行うことができる。
【００２５】
〈転送状態管理表に基づく映像データ切り換え処理〉
図４、図５はそれぞれ本発明の実施形態における無線受信機の転送状態管理部が管理している転送状態管理表の第１の例、第２の例を示す図であり、図６は本発明の実施形態における無線受信機の映像転送切り切り換え処理の第１の例のフローチャートである。これらの図はシングル表示モードに関するものである。
【００２６】
図４において、デバイスＩＤは無線送信機のＭＡＣ（Media Access Control）アドレスと紐付けたＩＤ番号である。デバイスＩＤ毎にリンク、トランス、ロックの３つのパラメータと、転送状態と、プロジェクタ８へのデータ転送の有無とを対応付けている。
【００２７】
無線受信機７は無線送信機との間で認証処理が終了すると、無線送信機のデバイスＩＤと共にリンク値を１として状態管理表に入力する。リンク状態が解除されるとリンク値に０を入力する。リンク状態が解除されて一定時間が経過すると、そのデバイスＩＤを転送状態管理表から削除する。
【００２８】
無線受信機７が無線送信機から映像データを受信すると、対応するデバイスＩＤのトランス値に１を入力する。データ転送が終了するとトランス値に０を入力する。受信した映像データフレームのロック状態領域を確認し、無線送信機が転送ロック状態であればロック値に１を、転送ロック状態でなければロック値に０を入力する。
【００２９】
図４における上側の図では、デバイスＩＤ＝１の無線送信機がアイドル状態、デバイスＩＤ＝３，４の無線送信機がリンク状態、デバイスＩＤ＝２の無線送信機が転送状態（映像データの送信を開始した状態）を示す。即ちデバイスＩＤ＝２の無線送信機のみが映像データを送信しており、無線受信機７はデバイスＩＤ＝２の無線送信機に接続されている情報処理装置からの映像データをプロジェクタ８に転送する。
【００３０】
なお、状態管理表は手動による登録が可能であり、頻繁に使用する情報処理装置に接続される無線送信機のデバイスＩＤを手動で１に登録することが好適である。手動で登録されたデバイスＩＤはリンク状態とならずとも無線受信機７によって常に監視される。
【００３１】
図４における下側の図では、上側の図の状態からデバイスＩＤ＝３の無線送信機が映像データの送信を開始した状態を示す。このとき、デバイスＩＤ＝２の無線送信機は転送ロック状態でないため、無線受信機７はデバイスＩＤ＝２の無線送信機からの映像データからデバイスＩＤ＝３の無線送信機からの映像データに切り換えてプロジェクタ８に転送する。
【００３２】
図５における上側の図では、デバイスＩＤ＝３，４の無線送信機がリンク状態であり、デバイスＩＤ＝２の無線送信機が転送ロック状態であり、それぞれが映像データの送信を開始した状態を示す。
【００３３】
図５における下側の図では、続いてデバイスＩＤ＝３の無線送信機が映像データの転送を開始した状態を示す。このとき、デバイスＩＤ＝２の無線送信機は転送ロック状態であるため、無線受信機７はデバイスＩＤ＝２の無線送信機からの映像データをプロジェクタ８に転送し続ける。デバイスＩＤ＝２の無線送信機からの映像データの送信が終了しリンク状態となったとき、デバイスＩＤ＝３の無線送信機が映像データを送信中であれば、無線受信機７はデバイスＩＤ＝３の無線送信機からの映像データをプロジェクタ８に転送する。
【００３４】
次に図６に示すフローチャートについて説明する。この図に示すフローは無線受信機７がプロジェクタ８へ映像データを転送中に別の無線送信機が新たに映像データの送信を開始したときに転送状態管理部７３が実行する。
【００３５】
まず転送ロック状態の無線送信機が存在するか否か判断し（ステップＳＴ１）、存在する場合は（ステップＳＴ１：Yes）、その無線送信機からの映像データのプロジェクタ８への転送状態を維持し（ステップＳＴ２）、この図に示すフローを終える。
【００３６】
一方、転送ロック状態の無線送信機が存在しない場合は（ステップＳＴ１：No）、デバイスＩＤ＝Ｎの無線送信機が転送状態であるか否か判断する（ステップＳＴ３）。判断の結果、転送状態である場合は（ステップＳＴ３：Yes）、デバイスＩＤ＝Ｎの無線送信機からの映像データのプロジェクタ８に対する転送を開始し（ステップＳＴ４）、この図に示すフローを終える。
【００３７】
デバイスＩＤ＝Ｎの無線送信機が転送状態でない場合は（ステップＳＴ３：No）、デバイスＩＤ＝Ｎ＋１の無線送信機が転送状態であるか否か判断する（ステップＳＴ５）。判断の結果、転送状態である場合は（ステップＳＴ５：Yes）、デバイスＩＤ＝Ｎ＋１の無線送信機からの映像データのプロジェクタ８に対する転送を開始し（ステップＳＴ６）、この図に示すフローを終える。
【００３８】
デバイスＩＤ＝Ｎ＋１の無線送信機が転送状態でない場合は（ステップＳＴ５：No）、プロジェクタ８への映像データの転送状態を維持し（ステップＳＴ７）、この図に示すフローを終える。
【００３９】
なお、図ではデバイスＩＤがＮとＮ＋１の無線送信機からの映像データのみプロジェクタ８に転送するか否かの判定を行っているが、実際はリンクしている（リンク値＝１）無線送信機の数だけ判定を行う。
【００４０】
以上説明した図６のフローの内容を要約すると以下のようになる。無線受信機７がプロジェクタ８へ映像データを転送中に別の無線送信機が映像データの送信を開始した場合、無線受信機７は後で送信を開始した無線送信機からの映像データをプロジェクタ８へ転送する。ただし、先に映像データの送信を開始した無線送信機が転送ロック状態である場合、後から別の無線送信機が映像データの送信を開始しても、先に送信を開始した転送ロック状態の無線送信機からの映像データを優先的にプロジェクタ８へ転送する。
【００４１】
図７、図８はそれぞれ本発明の実施形態における無線受信機の転送状態管理部が管理している転送状態管理表の第３の例、第４の例を示す図であり、図９は本発明の実施形態における無線受信機の映像転送切り切り換え処理の第２の例のフローチャートである。これらの図は分割表示モードに関するものである。
【００４２】
ここでは、プロジェクタ８に接続された無線受信機７に対して、情報処理装置に接続された無線送信機が９台リンク状態である構成で説明する。
図７における上側の図では、デバイスＩＤ＝２，３，５，６の無線送信機が転送状態または転送ロック状態であり、デバイスＩＤ＝２，３，５，６の無線送信機がこの順番に映像データの送信を開始した状態を示す。
【００４３】
図７における下側の図では、上側の図の状態からデバイスＩＤ＝７の無線送信機が映像データの送信を開始した状態を示す。無線受信機７は分割表示数が４であり、４つの無線送信機からの映像データをプロジェクタ８に転送している状態であるため、デバイスＩＤ＝７の無線送信機からの映像データをプロジェクタ８に転送するデータとして追加することはできない。
【００４４】
そこで、プロジェクタ８へ転送する映像データの切り換えを行う。このとき、プロジェクタ８へ映像データが転送されている無線送信機の内、デバイスＩＤ＝２の無線送信機が最も早くデータ送信を開始しているが、デバイスＩＤ＝２の無線送信機は転送ロック状態であるため、無線受信機７は次に送信開始時点の早いデバイスＩＤ＝３の無線送信機からの映像データをデバイスＩＤ＝７の無線送信機からの映像データに切り換えてプロジェクタ８へ転送する。
【００４５】
図８における上側の図では、デバイスＩＤ＝２，３，５，６の無線送信機が転送ロック状態であり、デバイスＩＤ＝２，３，５，６の無線送信機がこの順番で映像データの送信を開始した状態を示す。
【００４６】
図８における下側の図では、続いてデバイスＩＤ＝７の無線送信機が新たに転送ロック状態で映像データの送信を開始した状態を示す。無線受信機７は分割表示数が４であり、４つの無線送信機からの映像データをプロジェクタ８に転送している状態であるため、新たにデバイスＩＤ＝７の無線送信機からの映像データをプロジェクタ８へ転送するデータとして追加することはできない。
【００４７】
プロジェクタ８へ転送する映像データの切り換えを行えば、デバイスＩＤ＝７の無線送信機からの映像データをプロジェクタ８へ転送することができる。しかし、このときプロジェクタ８へ映像データを転送中の全ての無線送信機は転送ロック状態であるため、無線受信機７はプロジェクタ８へ転送する映像データの切り換えは行わない。その後、デバイスＩＤ＝２，３，５，６の無線送信機のどれかが送信が終了し、リンク状態となったとき、デバイスＩＤ＝７の無線送信機が映像データを送信中であれば、無線受信機７はデバイスＩＤ＝７の無線送信機からの映像データをプロジェクタ８に転送するように切り換える。
【００４８】
次に図９に示すフローチャートについて説明する。
まず転送ロック状態の無線送信機の数が４つか否かを判断し（ステップＳＴ１１）、４つであった場合は（ステップＳＴ１１：Yes）、プロジェクタ８への転送状態を維持し（ステップＳＴ１２）、この図に示すフローを終える。
【００４９】
一方、転送ロック状態の無線送信機の数が４つでなかった場合、即ち３つ以下であった場合は（ステップＳＴ１１：No）、デバイスＩＤ＝Ｎの無線送信機が転送状態であるか否か判断する（ステップＳＴ１３）。
【００５０】
判断の結果、転送状態である場合は（ステップＳＴ１３：Yes）、転送状態の無線送信機の数が４つか否かを判断する（ステップＳＴ１４）。判断の結果、４つであった場合は（ステップＳＴ１４：Yes）、ロック値＝０でデータ転送中の映像データの内の１つのプロジェクタ８への転送を終了させた後（ステップＳＴ１５）、デバイスＩＤ＝Ｎの無線送信機からの映像データのプロジェクタ８への転送を開始し（ステップＳＴ１６）、４つでなかった場合は（ステップＳＴ１４：No）、そのままデバイスＩＤ＝Ｎの無線送信機からの映像データのプロジェクタ８への転送を開始する（ステップＳＴ１６）。
【００５１】
デバイスＩＤ＝Ｎの無線送信機が転送状態でなかった場合は（ステップＳＴ１３：No）、デバイスＩＤ＝Ｎ＋１の無線送信機が転送状態であるか否かを判断する（ステップＳＴ１７）。
【００５２】
判断の結果、転送状態である場合は（ステップＳＴ１７：Yes）、転送状態の無線送信機の数が４つか否かを判断する（ステップＳＴ１８）。判断の結果、４つである場合は（ステップＳＴ１８：Yes）、ロック値＝０でデータ転送中の映像データの内の１つのプロジェクタ８への転送を終了させた後（ステップＳＴ１９）、デバイスＩＤ＝Ｎ＋１の無線送信機からの映像データのプロジェクタ８への転送を開始し（ステップＳＴ２０）、４つでなかった場合は（ステップＳＴ１８：No）、そのままデバイスＩＤ＝Ｎ＋１の無線送信機からの映像データのプロジェクタ８への転送を開始する（ステップＳＴ２０）。
【００５３】
ステップＳＴ１６またはＳＴ２０を実行した後、プロジェクタ８に転送する複数（ここでは４つ）の映像データを１画面に合成し（ステップＳＴ２１）、この図に示すフローを終える。
【００５４】
デバイスＩＤ＝Ｎ＋１の無線送信機が転送状態でなかった場合は（ステップＳＴ１７：No）、プロジェクタ８への転送状態を維持し（ステップＳＴ２２）、この図に示すフローを終える。
【００５５】
以上説明した図９のフローの内容を要約すると以下のようになる。無線受信機７がプロジェクタ８へ４つの無線送信機からの映像データの転送中に、別の無線送信機が新たに映像データの送信を開始した場合、無線受信機７は４つの無線送信機の中で最も早く転送状態となった無線送信機からの映像データを新たに映像データの送信を開始した無線送信機からの映像データに切り換えて、プロジェクタ８へ転送する。ただし、４つの無線送信機の中に転送ロック状態の無線送信機がある場合は、転送ロック状態の無線送信機からの映像データの切り換えは行わない。従って、４つの無線送信機の全てが転送ロック状態である場合は、４つの無線送信機のどれかのデータ送信が終了するまで、プロジェクタ８への映像データの切り換えを行わない。
【００５６】
以上詳細に説明したように、本発明の実施形態に係る映像データ転送システムは下記（１）〜（４）の特徴を備えている。
（１）無線受信機が各情報処理装置からの映像データを送信する各無線送信機のリンク状態および映像データの転送状態を監視し、その状態に応じてプロジェクタに転送する映像データの送信元を選択するので、映像表示装置へ転送する映像データの切り換えを制御するソフトウェアを情報処理装置内に用意することが不要になる。
（２）無線送信機に設けた外部入力ボタンにより、無線受信機への映像データの送信を開始させることができるため、映像データの切り換えが簡単になる。
（３）無線受信機へ送信する映像データを転送ロック状態とすることで、その映像データを優先的にプロジェクタに転送し、表示させることができる。
（４）複数の情報処理装置からの映像データを択一的に表示するシングル表示モードに加えて、複数の情報処理装置からの映像データを画面上で分割して同時に表示する分割表示モードを設けるとともに、外部入力ボタンにより表示モードの設定を可能にしたので、ユーザの希望に応じて、１つの情報処理装置からの映像を表示したり、複数の情報処理装置からの映像を表示したりすることができる。
【符号の説明】
【００５７】
１，２，３…情報処理装置、４，５，６…無線送信機、７…無線受信機、８…プロジェクタ、７２…表示画面合成部、７３…転送状態管理部、７４…転送状態判定部。
【先行技術文献】
【特許文献】
【００５８】
【特許文献１】特開２００３−８５１１２号公報
【図１】
2013197952.tif 000003
【図２】
2013197952.tif 000004
【図３】
2013197952.tif 000005
【図４】
2013197952.tif 000006
【図５】
2013197952.tif 000007
【図６】
2013197952.tif 000008
【図７】
2013197952.tif 000009
【図８】
2013197952.tif 000010
【図９】
2013197952.tif 000011